(57)【要約】【課題】ＢＳモデムとアンテナモデムのどちらにも使用できるモデム及びアンテナ制御システムを提供する。【解決手段】制御信号および電源信号を入出力するピン端子同士が電気的に接続されたＡＩＳＧコネクタ４ａ，４ｂと、ＡＩＳＧコネクタ４ａから入力された制御信号を変調して変調信号を生成して出力するか、変調信号を復調して制御信号に戻してＡＩＳＧコネクタ４ｂに出力するモデム回路５と、変調信号と電源信号を合成してＡＩＳＧ信号を生成して出力するか、ＡＩＳＧ信号を変調信号と電源信号に分離してモデム回路５とＡＩＳＧコネクタ４ｂに出力する合成・分離回路６と、給電信号にＡＩＳＧ信号を重畳して重畳信号を生成しＲＦコネクタ３ｂから出力するか、重畳信号をＡＩＳＧ信号と給電信号に分離して合成・分離回路６とＲＦコネクタ３ａに出力するバイアスＴ回路７と、を備えた。【選択図】図１
2013026894.tif 000002
【特許請求の範囲】
【請求項１】
ＡＩＳＧ規格に準拠してアンテナの制御を行うアンテナ制御システムに用いられ、
前記アンテナの給電線が接続される２つのＲＦコネクタと、
ＡＩＳＧ規格に準拠し、制御信号を入出力するピン端子同士、および電源信号を入出力するピン端子同士がそれぞれ電気的に接続された入力側ＡＩＳＧコネクタ及び出力側ＡＩＳＧコネクタと、
前記両ＡＩＳＧコネクタの制御信号を入出力するピン端子と電気的に接続され、前記入力側ＡＩＳＧコネクタから入力された制御信号を変調して変調信号を生成して出力するか、あるいは入力された変調信号を復調して制御信号に戻して前記出力側ＡＩＳＧコネクタに出力するモデム回路と、
前記モデム回路の変調信号の入出力部と電気的に接続されると共に、前記両ＡＩＳＧコネクタの電源信号を入出力するピン端子と電気的に接続され、前記モデム回路から入力された変調信号と前記入力側ＡＩＳＧコネクタから入力された電源信号とを合成してＡＩＳＧ信号を生成して出力するか、あるいは入力されたＡＩＳＧ信号を変調信号と電源信号に分離して前記モデム回路と前記出力側ＡＩＳＧコネクタにそれぞれ出力する合成・分離回路と、
前記合成・分離回路のＡＩＳＧ信号の入出力部と電気的に接続されると共に、前記両ＲＦコネクタと電気的に接続され、一方の前記ＲＦコネクタから入力された給電信号に前記合成・分離回路から入力されたＡＩＳＧ信号を重畳して重畳信号を生成し、他方の前記ＲＦコネクタから出力するか、あるいは、他方の前記ＲＦコネクタから入力された重畳信号をＡＩＳＧ信号と給電信号に分離して前記合成・分離回路と一方の前記ＲＦコネクタにそれぞれ出力するバイアスＴ回路と、
を備えたことを特徴とするモデム。
【請求項２】
前記入力側ＡＩＳＧコネクタは、前記ピン端子が外部に露出したオスコネクタであり、
前記入力側ＡＩＳＧコネクタの電源信号を入出力するピン端子で短絡が発生したときに前記入力側ＡＩＳＧコネクタに過大な短絡電流が流れてしまうことを抑制する短絡電流抑制手段をさらに備えた
請求項１記載のモデム。
【請求項３】
前記短絡電流抑制手段は、短絡電流を阻止するように設けられたダイオードからなる
請求項２記載のモデム。
【請求項４】
前記短絡電流抑制手段は、電流制限素子からなる
請求項２記載のモデム。
【請求項５】
前記入力側ＡＩＳＧコネクタを介して入力された電源信号、あるいは前記合成・分離回路から出力された電源信号から、ＡＩＳＧ規格にて規定される他の電圧の電源信号を生成して前記出力側ＡＩＳＧコネクタに出力するＤＣ／ＤＣコンバータをさらに備えた
請求項１〜４いずれかに記載のモデム。
【請求項６】
ＡＩＳＧ規格に準拠してアンテナの制御を行うＡＩＳＧデバイスと、
前記ＡＩＳＧデバイスに制御信号を送信し、前記ＡＩＳＧデバイスを制御して前記アンテナの制御を行うと共に、前記ＡＩＳＧデバイスにＡＩＳＧ規格にて規定される一の電圧の電源信号を送信する制御装置と、
前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、
前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、
を備えたアンテナ制御システムにおいて、
前記ＢＳモデムと前記アンテナモデムの少なくとも一方に、請求項１〜５いずれかに記載のモデムを用いた
ことを特徴とするアンテナ制御システム。
【発明の詳細な説明】
【技術分野】
【０００１】
本発明は、ＡＩＳＧ（Antenna Interface Standards Group）規格に準拠してアンテナの制御を行うアンテナ制御システムに用いられるモデム及びアンテナ制御システムに関するものである。
【背景技術】
【０００２】
移動通信用の無線基地局では、一般に、アンテナのチルト制御を遠隔制御により行えるようになっている。当初は、アンテナの制御方式としてメーカーごとに独自の方式を用いていたが、近年のＬＴＥ（Long Term Evolution）無線基地局などでは、アンテナの制御をＡＩＳＧ規格で行うことが多くなっている。ＡＩＳＧ規格は、アンテナの基本的な相互運用を確実にすべく標準化された規格である（例えば、特許文献１参照）。
【０００３】
通常、無線基地局のアンテナや、アンテナの制御を行うＲＥＴ（Remote Electrical Tilt）ユニットなどのＡＩＳＧデバイス（ＡＩＳＧ端末機器）は、鉄塔の上部やビルの屋上など高い位置に配置される。他方、アンテナに給電を行う無線機や、ＡＩＳＧデバイスを制御する制御装置（ＡＩＳＧ制御装置）は、鉄塔の下部など低い位置に配置されるのが一般的である。ここで、制御装置は、ＡＩＳＧデバイスに制御信号（ＲＳ４８５規格信号）を送信し、ＡＩＳＧデバイスを制御してアンテナの制御を行うと共に、ＡＩＳＧデバイスに電源を供給するものである。
【０００４】
アンテナと無線機とは同軸ケーブルからなる給電線（ＲＦ給電線）により接続され、ＡＩＳＧデバイスと制御装置とはＡＩＳＧ規格に準拠した制御ケーブル（ＡＩＳＧ制御ケーブル）により接続されるので、例えばアンテナとＡＩＳＧデバイスを鉄塔の上部に、無線機と制御装置を鉄塔の下部に配置する場合には、鉄塔の上部から下部にわたって、給電線と制御ケーブルの２本のケーブルが敷設されることになる。
【０００５】
しかし、例えば数十ｍと高い鉄塔においては、鉄塔の上部から下部にわたってケーブルを敷設することは非常に手間がかかり、工事にかかるコストも高くなってしまう。この問題を解決するため、ＡＩＳＧ規格では、コアキシャルインターフェイス（Coaxial Interface）またはモデムオプション（Modem Option）と呼ばれる方式（以下、コアキシャルインターフェイス方式と呼称する）が規定されている。
【０００６】
図６に示すように、コアキシャルインターフェイス方式を用いたアンテナ制御システム６１では、アンテナ１０と無線機１１とを接続する給電線１２の途中に、ＢＳモデム１３とアンテナモデム１４と呼ばれる２つのモデムを設け、これらＢＳモデム１３とアンテナモデム１４を使用して、給電線１２を経由してＡＩＳＧデバイス１７用の制御信号や電源信号を伝送する。
【０００７】
ＢＳモデム１３は、無線機１１の近傍（例えば鉄塔の下部）に設けられ、制御ケーブル１５を介して制御装置（ＡＩＳＧ制御装置）１６が接続される。アンテナモデム１４は、アンテナ１０の近傍（例えば鉄塔の上部）に設けられ、制御ケーブル１５を介してＡＩＳＧデバイス１７が接続される。
【０００８】
図７に示すように、ＢＳモデム１３では、制御装置１６から入力ＡＩＳＧコネクタ２１を介して入力された制御信号（ＲＳ４８５Ａ，ＲＳ４８５Ｂ）を、モデム（モデム回路）２２にて変調して変調信号を生成し、その変調信号と制御装置１６から入力された電源信号とを合成回路２３で合成し、その合成した信号（ＡＩＳＧ信号という）をバイアスＴ回路（Bias Tee）２４に出力する。バイアスＴ回路２４は、直流遮断用のキャパシタ（容量素子）と交流遮断用のインダクタ（誘導素子）とを組み合わせて構成され、合成回路２３から入力されたＡＩＳＧ信号を、無線機１１から入力側ＲＦコネクタ２５を介して入力された給電信号（ＲＦ信号）に重畳して、出力側ＲＦコネクタ２６からアンテナ１０側の給電線１２に出力する。
【０００９】
図８に示すように、アンテナモデム１４では、ＢＳモデム１３から入力側ＲＦコネクタ３１を介して入力された給電信号（ＡＩＳＧ信号を重畳した給電信号）をバイアスＴ回路３２に入力し、バイアスＴ回路３２にて、給電信号からＡＩＳＧ信号を分離する。分離後の給電信号は、出力側ＲＦコネクタ３３から、アンテナ１０側の給電線１２に出力される。バイアスＴ回路３２で分離されたＡＩＳＧ信号は、分離回路３４にてさらに変調信号と電源信号とに分離され、分離された変調信号はモデム（モデム回路）３５で復調されて制御信号に戻され、その復調された制御信号と、分離回路３４で分離された電源信号とが、出力ＡＩＳＧコネクタ３６を介してＡＩＳＧデバイス１７に出力される。
【００１０】
ＢＳモデム１３のモデム２２とアンテナモデム１４のモデム３５としては、同じ構成のものを用いるのが一般的である。図９に示すように、モデム２２，３５は、ＲＳ４８５インターフェイス９１に入力された制御信号（ＲＳ４８５規格信号）を、変調回路９２で変調して変調信号を生成し、生成した変調信号を方向性結合器９３から外部に出力するように構成されると共に、方向性結合器９３に入力された変調信号を、復調回路９４で復調して制御信号に戻し、ＲＳ４８５インターフェイス９１から外部に出力するように構成されている。モデム２２，３５の電源回路９５は、制御装置１６から供給される電源を利用し、入力される電源電圧をモデム２２，３５用の電圧に変換して、ＲＳ４８５インターフェイス９１、変調回路９２、復調回路９４に出力するように構成されている。
【００１１】
また、ＢＳモデム１３の合成回路２３とアンテナモデム１４の分離回路３４は、共に低域フィルタ等を用いて構成されたものであり、同じ構成のものである。さらには、ＢＳモデム１３のバイアスＴ回路２４とアンテナモデム１４のバイアスＴ回路３２も同じものである。
【００１２】
このようなコアキシャルインターフェイス方式を採用することにより、鉄塔の上部から下部にわたって給電線１２のみを敷設すればよいこととなり、工事費も含めたアンテナ制御システムのトータルコストを大幅に抑制することが可能になる。
【先行技術文献】
【特許文献】
【００１３】
【特許文献１】特表２０１０−５１９８０４号公報
【発明の概要】
【発明が解決しようとする課題】
【００１４】
上述のように、ＢＳモデム１３とアンテナモデム１４の内部回路はほぼ同じであるが、現状では、ＢＳモデム１３とアンテナモデム１４は別の機器として取り扱われている。
【００１５】
本発明者は、ＢＳモデム１３とアンテナモデム１４のどちらにも使用できるモデムがあれば、システムの構成部品を減らして低コスト化が可能となり、シンプルな構成のアンテナ制御システムを実現できると考えた。
【００１６】
本発明は上記事情に鑑み為されたものであり、ＢＳモデムとアンテナモデムのどちらにも使用できるモデム及びアンテナ制御システムを提供することを目的とする。
【課題を解決するための手段】
【００１７】
本発明は上記目的を達成するために創案されたものであり、ＡＩＳＧ規格に準拠してアンテナの制御を行うアンテナ制御システムに用いられ、前記アンテナの給電線が接続される２つのＲＦコネクタと、ＡＩＳＧ規格に準拠し、制御信号を入出力するピン端子同士、および電源信号を入出力するピン端子同士がそれぞれ電気的に接続された入力側ＡＩＳＧコネクタ及び出力側ＡＩＳＧコネクタと、前記両ＡＩＳＧコネクタの制御信号を入出力するピン端子と電気的に接続され、前記入力側ＡＩＳＧコネクタから入力された制御信号を変調して変調信号を生成して出力するか、あるいは入力された変調信号を復調して制御信号に戻して前記出力側ＡＩＳＧコネクタに出力するモデム回路と、前記モデム回路の変調信号の入出力部と電気的に接続されると共に、前記両ＡＩＳＧコネクタの電源信号を入出力するピン端子と電気的に接続され、前記モデム回路から入力された変調信号と前記入力側ＡＩＳＧコネクタから入力された電源信号とを合成してＡＩＳＧ信号を生成して出力するか、あるいは入力されたＡＩＳＧ信号を変調信号と電源信号に分離して前記モデム回路と前記出力側ＡＩＳＧコネクタにそれぞれ出力する合成・分離回路と、前記合成・分離回路のＡＩＳＧ信号の入出力部と電気的に接続されると共に、前記両ＲＦコネクタと電気的に接続され、一方の前記ＲＦコネクタから入力された給電信号に前記合成・分離回路から入力されたＡＩＳＧ信号を重畳して重畳信号を生成し、他方の前記ＲＦコネクタから出力するか、あるいは、他方の前記ＲＦコネクタから入力された重畳信号をＡＩＳＧ信号と給電信号に分離して前記合成・分離回路と一方の前記ＲＦコネクタにそれぞれ出力するバイアスＴ回路と、を備えたモデムである。
【００１８】
前記入力側ＡＩＳＧコネクタは、前記ピン端子が外部に露出したオスコネクタであり、前記入力側ＡＩＳＧコネクタの電源信号を入出力するピン端子で短絡が発生したときに前記入力側ＡＩＳＧコネクタに過大な短絡電流が流れてしまうことを抑制する短絡電流抑制手段をさらに備えてもよい。
【００１９】
前記短絡電流抑制手段は、短絡電流を阻止するように設けられたダイオードからなってもよい。
【００２０】
前記短絡電流抑制手段は、電流制限素子からなってもよい。
【００２１】
前記入力側ＡＩＳＧコネクタを介して入力された電源信号、あるいは前記合成・分離回路から出力された電源信号から、ＡＩＳＧ規格にて規定される他の電圧の電源信号を生成して前記出力側ＡＩＳＧコネクタに出力するＤＣ／ＤＣコンバータをさらに備えてもよい。
【００２２】
また、本発明は、ＡＩＳＧ規格に準拠してアンテナの制御を行うＡＩＳＧデバイスと、前記ＡＩＳＧデバイスに制御信号を送信し、前記ＡＩＳＧデバイスを制御して前記アンテナの制御を行うと共に、前記ＡＩＳＧデバイスにＡＩＳＧ規格にて規定される一の電圧の電源信号を送信する制御装置と、前記アンテナと該アンテナに給電を行う無線機とを接続する給電線の途中に設けられると共に、前記制御装置が接続され、前記制御装置から入力された制御信号を変調して変調信号を生成し、その変調信号と前記制御装置から入力された電源信号とを、前記無線機から入力された給電信号に重畳して、前記アンテナ側の前記給電線に出力するＢＳモデムと、前記ＢＳモデムよりも前記アンテナ側の前記給電線の途中に設けられると共に、前記ＡＩＳＧデバイスが接続され、前記ＢＳモデムから入力された給電信号から変調信号と電源信号とを分離すると共に、変調信号を復調して制御信号に戻し、制御信号と電源信号を前記ＡＩＳＧデバイスに、分離後の給電信号を前記アンテナ側の前記給電線に出力するアンテナモデムと、を備えたアンテナ制御システムにおいて、前記ＢＳモデムと前記アンテナモデムの少なくとも一方に、前記モデムを用いたアンテナ制御システムである。
【発明の効果】
【００２３】
本発明によれば、ＢＳモデムとアンテナモデムのどちらにも使用できるモデム及びアンテナ制御システムを提供できる。
【図面の簡単な説明】
【００２４】
【図１】（ａ）は本発明の一実施の形態に係るモデムを用いたアンテナ制御システムの概略構成図であり、（ｂ）はモデムの概略構成図である。
【図２】図１のアンテナ制御システムに用いる制御ケーブルの一例を示す横断面図である。
【図３】（ａ），（ｂ）は、図１（ｂ）のモデムの変形例を示す概略構成図である。
【図４】図１（ｂ）のモデムの変形例を示す概略構成図である。
【図５】図１（ｂ）のモデムをＡＩＳＧデバイスと同一の筐体に内蔵したときの概略構成図である。
【図６】従来のアンテナ制御システムの概略構成図である。
【図７】図６の従来のアンテナ制御システムに用いる従来のＢＳモデムの概略構成図である。
【図８】図６の従来のアンテナ制御システムに用いるアンテナモデムの概略構成図である。
【図９】図７のＢＳモデム、図８のアンテナモデムに用いるモデム（モデム回路）の概略構成図である。
【発明を実施するための形態】
【００２５】
以下、本発明の実施の形態を添付図面にしたがって説明する。
【００２６】
図１は、本実施の形態に係るモデムを用いたアンテナ制御システムの概略構成図であり、（ｂ）はモデムの概略構成図である。
【００２７】
図１に示すように、アンテナ制御システム１は、ＡＩＳＧ規格に準拠してアンテナ１０の制御を行うＡＩＳＧデバイス１７と、ＡＩＳＧデバイス１７に制御信号を送信し、ＡＩＳＧデバイス１７を制御してアンテナ１０の制御を行うと共に、ＡＩＳＧデバイス１７にＡＩＳＧ規格にて規定される一の電圧の電源信号を送信する制御装置１６と、アンテナ１０とアンテナ１０に給電を行う無線機１１とを接続する給電線１２の途中に設けられた本発明のＢＳモデム１３と、ＢＳモデム１３よりもアンテナ１０側の給電線１２の途中に設けられたアンテナモデム１４と、を備えている。
【００２８】
ここでは、一例として、制御装置１６が、必須接続である１０〜３０Ｖ電源を供給するものであり、ＡＩＳＧデバイス１７が、１０〜３０Ｖ電源を使用するものである場合を説明する。
【００２９】
ＢＳモデム１３は、制御装置１６から入力された制御信号を変調して変調信号を生成し、その変調信号と制御装置１６から入力された電源信号とを合成した信号（ＡＩＳＧ信号という）を、無線機１１から入力された給電信号（ＲＦ信号）に重畳した信号（重畳信号という）をアンテナ１０側の給電線１２に出力するものである。
【００３０】
アンテナモデム１４は、ＢＳモデム１３から入力された重畳信号からＡＩＳＧ信号を分離すると共に、ＡＩＳＧ信号を変調信号と電源信号とに分離し、変調信号を復調して制御信号に戻し、制御信号と電源信号をＡＩＳＧデバイス１７に、分離後の給電信号をアンテナ１０側の給電線１２に出力するものである。
【００３１】
本実施の形態に係るアンテナ制御システム１は、これらＢＳモデム１３とアンテナモデム１４の少なくとも一方に、本発明のモデム２を用いたものである。ここでは、ＢＳモデム１３とアンテナモデム１４の両方に本発明のモデム２を用いた場合を説明するが、どちらか一方であってもよい。
【００３２】
モデム２の詳細については後述するが、モデム２は、アンテナ１０の給電線１２が接続される２つのＲＦコネクタ３ａ，３ｂと、ＡＩＳＧ規格に準拠した入力側ＡＩＳＧコネクタ（オスコネクタ）４ａと出力側ＡＩＳＧコネクタ（メスコネクタ）４ｂを備えている。両ＲＦコネクタ３ａ，３ｂは、一般的な同軸ケーブル用のコネクタであり、両ＡＩＳＧコネクタ４ａ，４ｂは、ＡＩＳＧ規格に準拠した一般的なコネクタである。
【００３３】
ＢＳモデム１３として用いるモデム２は、無線機１１の近傍（例えば鉄塔の下部）に設けられ、制御ケーブル１５を介して制御装置１６が接続される。アンテナモデム１４として用いるモデム２は、アンテナ１０の近傍（例えば鉄塔の上部）に設けられ、制御ケーブル１５を介してＡＩＳＧデバイス１７が接続される。
【００３４】
制御ケーブル１５は、図２に示すように、制御信号を伝送する２本の制御信号線４４と、電源を供給するための３本の電源線４５とを備えている。２本の制御信号線４４には、ドレインワイヤ４６が縦添えされており、２本の制御信号線４４とドレインワイヤ４６の周囲には、これらを一括して取り囲むようにシールドテープ（金属テープ）４７が設けられている。
【００３５】
３本の電源線４５は、異なる電圧が設定された２本の電源線４５ａ，４５ｃと、ＤＣリターン用の電源線４５ｂとからなる。ここでは、−４８Ｖ電源を伝送する−４８Ｖ線４５ａと１０〜３０Ｖ電源を伝送する１０〜３０Ｖ線４５ｃを備える場合を示している。
【００３６】
３本の電源線４５は、介在４８と共に２本の制御信号線４４の周囲（シールドテープ４７の周囲）に配置され、これらを一括して取り囲むように、シールドテープ４９、編組シールド５０、シース５１が順次設けられている。
【００３７】
なお、図２の制御ケーブル１５は、あくまで一例として示したものであり、制御ケーブル１５は、図２の構成に限定されるものではない。例えば、本実施の形態に係るアンテナ制御システム１では、１０〜３０Ｖ電源のみを使用しており−４８Ｖ線４５ａを使用していないので、−４８Ｖ線４５ａを省略したものを用いることも可能である。
【００３８】
図１（ａ）に戻り、制御ケーブル１５の両端には、オスコネクタ１５ａとメスコネクタ１５ｂがそれぞれ設けられている。また、制御装置１６には出力コネクタ（メスコネクタ）１６ａが、ＡＩＳＧデバイス１７には入力コネクタ（オスコネクタ）１７ａが設けられている。これらコネクタ１５ａ，１５ｂ，１６ａ，１７ａは、ＡＩＳＧ規格に準拠した一般的なコネクタ（ＡＩＳＧコネクタ）である。なお、図示していないが、ＡＩＳＧデバイス１７には、出力コネクタ（メスコネクタ）が設けられており、複数台のＡＩＳＧデバイス１７をデイジーチェーン接続できるようになっている。
【００３９】
制御ケーブル１５のオスコネクタ１５ａを制御装置１６の出力コネクタ１６ａに接続し、その制御ケーブル１５のメスコネクタ１５ｂをＢＳモデム１３として用いるモデム２の入力側ＡＩＳＧコネクタ４ａに接続することで、制御装置１６とＢＳモデム１３として用いるモデム２とが制御ケーブル１５を介して接続される。また、ＢＳモデム１３として用いるモデム２の一方のＲＦコネクタ３ａには、無線機１１から延びる給電線１２が接続され、これにより、無線機１１とＢＳモデム１３として用いるモデム２とが給電線１２を介して接続される。
【００４０】
さらに、制御ケーブル１５のオスコネクタ１５ａをアンテナモデム１４として用いるモデム２の出力側ＡＩＳＧコネクタ４ｂに接続し、その制御ケーブル１５のメスコネクタ１５ｂをＡＩＳＧデバイス１７の入力コネクタ１７ａに接続することで、アンテナモデム１４として用いるモデム２とＡＩＳＧデバイス１７とが制御ケーブル１５を介して接続される。また、アンテナモデム１４として用いるモデム２の一方のＲＦコネクタ３ａには、アンテナ１０に延びる給電線１２が接続され、これにより、アンテナモデム１４として用いるモデム２とアンテナ１０とが給電線１２を介して接続される。
【００４１】
さらにまた、給電線１２の両端を、ＢＳモデム１３として用いるモデム２とアンテナモデム１４として用いるモデム２の他方のＲＦコネクタ３ｂにそれぞれ接続することで、両モデム２が給電線１２を介して接続される。
【００４２】
次に、本実施の形態に係るモデム２について説明する。
【００４３】
図１（ｂ）に示すように、モデム２は、２つのＲＦコネクタ３ａ，３ｂと、入力側ＡＩＳＧコネクタ４ａ及び出力側ＡＩＳＧコネクタ４ｂと、モデム回路５と、合成・分離回路６と、バイアスＴ回路７と、を主に備えている。
【００４４】
入力側ＡＩＳＧコネクタ４ａと出力側ＡＩＳＧコネクタ４ｂは、制御信号を入出力する３，５番のピン端子（ＲＳ４８５Ａ，ＲＳ４８５Ｂ）同士、および電源信号を入出力するピン端子（ここでは、１０〜３０Ｖ電源を入出力する６番のピン端子）同士が、内部配線によりそれぞれ電気的に接続されている。また、図示省略しているが、両ＡＩＳＧコネクタ４ａ，４ｂは、ＤＣリターン用の７番のピン端子同士も、内部配線により電気的に接続されている。なお、使用しない電源信号（＋１２Ｖ電源や−４８Ｖ電源）を入出力するピン端子については、両ＡＩＳＧコネクタ４ａ，４ｂ間で接続してもしなくてもよい。なお、ピン端子の番号については、ＡＩＳＧ規格にて規定されているものである。
【００４５】
モデム回路５は、入力側ＡＩＳＧコネクタ４ａから入力された制御信号を変調して変調信号を生成して合成・分離回路６に出力するか、あるいは合成・分離回路６から入力された変調信号を復調して制御信号に戻して出力側ＡＩＳＧコネクタ４ｂに出力するものであり、図９で説明したものと同じものである。モデム回路５の制御信号の入出力部（ＲＳ４８５インターフェイス）は、内部配線により、両ＡＩＳＧコネクタ４ａ，４ｂの制御信号を入出力する３，５番のピン端子（ＲＳ４８５Ａ，ＲＳ４８５Ｂ）と電気的に接続され、その変調信号の入出力部は、内部配線により、合成・分離回路６の変調信号の入出力部と電気的に接続される。
【００４６】
合成・分離回路６は、モデム回路５から入力された変調信号と入力側ＡＩＳＧコネクタ４ａから入力された電源信号とを合成してＡＩＳＧ信号を生成し、生成したＡＩＳＧ信号をバイアスＴ回路７に出力するか、あるいはバイアスＴ回路７から入力されたＡＩＳＧ信号を変調信号と電源信号に分離して、モデム回路５と出力側ＡＩＳＧコネクタ４ｂにそれぞれ出力するものである。合成・分離回路６の電源信号の入出力部は、両ＡＩＳＧコネクタ４ａ，４ｂの電源信号を入出力する６番のピン端子（１０〜３０Ｖ  ＤＣ）と電気的に接続され、そのＡＩＳＧ信号の入出力部は、バイアスＴ回路７のＡＩＳＧ信号の入出力部と電気的に接続される。
【００４７】
バイアスＴ回路７は、一方のＲＦコネクタ３ａから入力された給電信号に合成・分離回路６から入力されたＡＩＳＧ信号を重畳して重畳信号を生成し、他方のＲＦコネクタ３ｂから出力するか、あるいは、他方のＲＦコネクタ３ｂから入力された重畳信号をＡＩＳＧ信号と給電信号に分離して合成・分離回路６と一方のＲＦコネクタ３ａにそれぞれ出力するものである。バイアスＴ回路７の給電信号の入出力部は、一方のＲＦコネクタ３ａと電気的に接続され、その重畳信号の入出力部は、他方のＲＦコネクタ３ｂと電気的に接続される。
【００４８】
ところで、入力側ＡＩＳＧコネクタ４ａは、ピン端子が外部に露出したオスコネクタ（プラグ）である。モデム２をアンテナモデム１４として使用する場合、入力側ＡＩＳＧコネクタ４ａには何も接続されず開放された状態となるが、このとき、露出したピン端子にゴミが付着するなどして電源信号を入出力するピン端子で短絡が発生してしまったり、あるいは作業者がピン端子に触れて感電してしまうことが考えられる。そこで、この対策として、本実施の形態では、入力側ＡＩＳＧコネクタ４ａの電源信号を入出力するピン端子で短絡が発生したときに入力側ＡＩＳＧコネクタ４ａに過大な短絡電流が流れてしまうことを抑制する短絡電流抑制手段８をさらに備えている。
【００４９】
ここでは、短絡電流抑制手段８としてダイオード８ａを用いた。ダイオード８ａは、短絡電流を阻止するように設けられる。本実施の形態では、合成・分離回路６の電源信号の入出力部から出力側ＡＩＳＧコネクタ４ｂの６番のピン端子（１０〜３０Ｖ  ＤＣ）に延びる内部配線から分岐し、入力側ＡＩＳＧコネクタ４ａの６番のピン端子（１０〜３０Ｖ  ＤＣ）に延びる内部配線に、アノード電極が入力側ＡＩＳＧコネクタ４ａ側（図示上側）、カソード電極が出力側ＡＩＳＧコネクタ４ｂ側（図示下側）となるように、ダイオード８ａを設けた。
【００５０】
なお、使用する電源が１０〜３０Ｖ電源あるいは＋１２Ｖ電源、つまり正電源である場合には、ダイオード８ａの向きは図１（ｂ）に示す通りの向きでよいが、使用する電源が−４８Ｖ電源、つまり負電源であるときは、短絡時に流れる短絡電流の向きが逆になるので、図３（ａ）に示すように、ダイオード８ａの向きを逆に、すなわち、アノード電極を出力側ＡＩＳＧコネクタ４ｂ側（図示下側）、カソード電極を入力側ＡＩＳＧコネクタ４ａ側（図示上側）とする必要がある。
【００５１】
また、図３（ｂ）に示すように、短絡電流抑制手段８として、電流制限素子８ｂを用いることも可能である。電流制限素子８ｂとしては、例えば、ポリマー系ＰＴＣ（Positive Temperature Coefficient）サーミスタ等を用いることができる。
【００５２】
図１に戻り、モデム２の動作を説明する。
【００５３】
まず、モデム２をＢＳモデム１３として用いる場合の動作を説明する。
【００５４】
モデム２をＢＳモデム１３として用いる場合、ＲＦコネクタ３ａには無線機１１が接続され、ＲＦコネクタ３ｂにはアンテナモデム１４（ここではアンテナモデム１４として用いるモデム２）が接続され、入力側ＡＩＳＧコネクタ４ａには制御装置１６が接続されることになる。出力側ＡＩＳＧコネクタ４ｂは、開放したままとしてもよいし、この出力側ＡＩＳＧコネクタ４ｂにＡＩＳＧデバイス１７をデイジーチェーン接続することも可能である。
【００５５】
制御装置１６から入力側ＡＩＳＧコネクタ４ａを介して入力された制御信号は、モデム回路５にて変調信号とされ、合成・分離回路６に出力される。合成・分離回路６は、変調信号と電源信号を合成してＡＩＳＧ信号を生成してバイアスＴ回路７に出力する。バイアスＴ回路７は、無線機１１からＲＦコネクタ３ａを介して入力された給電信号にＡＩＳＧ信号を重畳して重畳信号を生成し、ＲＦコネクタ３ｂからアンテナモデム１４に出力する。
【００５６】
次に、モデム２をアンテナモデム１４として用いる場合の動作を説明する。
【００５７】
モデム２をアンテナモデム１４として用いる場合、ＲＦコネクタ３ａにはアンテナ１０が、ＲＦコネクタ３ｂにはＢＳモデム１３（ここではＢＳモデム１３として用いるモデム２）が、出力側ＡＩＳＧコネクタ４ｂにはＡＩＳＧデバイス１７が接続されることになる。入力側ＡＩＳＧコネクタ４ａは、開放したままとされる。このとき、開放したままの入力側ＡＩＳＧコネクタ４ａのピン端子にて短絡が発生した場合であっても、短絡電流は短絡電流抑制手段８で阻止されるので、短絡事故や感電事故の発生を防止できる。
【００５８】
ＢＳモデム１３からＲＦコネクタ３ｂを介して入力された重畳信号は、バイアスＴ回路７でＡＩＳＧ信号と給電信号に分離され、ＡＩＳＧ信号は合成・分離回路６に、給電信号はＲＦコネクタ３ａからアンテナ１０に出力される。合成・分離回路６は、ＡＩＳＧ信号を変調信号と電源信号に分離して、変調信号をモデム回路５に、電源信号を出力側ＡＩＳＧコネクタ４ｂからＡＩＳＧデバイス１７に出力する。モデム回路５は、変調信号を復調して制御信号に戻し、出力側ＡＩＳＧコネクタ４ｂからＡＩＳＧデバイス１７に出力する。
【００５９】
以上説明したように、本発明によれば、ＢＳモデム１３とアンテナモデム１４のどちらにも使用できるモデム２を実現できる。従来は、ＢＳモデム１３とアンテナモデム１４を別製品として扱ってきたが、本発明によれば、ＢＳモデム１３とアンテナモデム１４の両者を１つの製品で対応することが可能となり、その結果、システムの構成部品を減らして、低コストでシンプルな構成のアンテナ制御システム１を実現できる。
【００６０】
また、本実施の形態では、モデム２に短絡電流抑制手段８を備えているため、入力側ＡＩＳＧコネクタ４ａの電源信号を入出力するピン端子で短絡が発生したときに入力側ＡＩＳＧコネクタ４ａに過大な短絡電流が流れてしまうことを抑制でき、短絡事故や感電事故の発生を防止できる。
【００６１】
本発明は上記実施の形態に限定されるものではなく、本発明の趣旨を逸脱しない範囲で種々の変更を加え得ることは勿論である。
【００６２】
例えば、上記実施の形態では言及しなかったが、図４（ａ）に示すモデム４１のように、両ＡＩＳＧコネクタ４ａ，４ｂの近傍に、サージ保護回路９を備え、雷サージなどのサージ電圧から内部回路（モデム回路５など）を保護するようにモデム２を構成してもよい。
【００６３】
また、図４（ｂ）に示すモデム４２のように、入力側ＡＩＳＧコネクタ４ａを介して入力された電源信号あるいは合成・分離回路６から出力された電源信号（ここでは１０〜３０Ｖ電源）から、ＡＩＳＧ規格にて規定される他の電圧の電源信号（ここでは＋１２Ｖ電源）を生成して出力側ＡＩＳＧコネクタ４ｂに出力するＤＣ／ＤＣコンバータ１８をさらに備え、制御装置１６が供給する電源電圧と異なる電源電圧を使用するＡＩＳＧデバイス１７を使用できるようにしてもよい。
【００６４】
ここでは、ＤＣ／ＤＣコンバータ１８として、１０〜３０Ｖ電源から＋１２Ｖ電源を生成して出力するものを用いる場合を示しているが、これに限らず、制御装置１６が出力する電源電圧と、出力側ＡＩＳＧコネクタ４ｂから出力したい電源電圧（つまり出力側ＡＩＳＧコネクタ４ｂに接続されるＡＩＳＧデバイス１７が使用する電源電圧）に応じて、１０〜３０Ｖ電源から−４８Ｖ電源を生成して出力したり、−４８Ｖ電源から１０〜３０Ｖ電源や＋１２Ｖ電源を生成して出力したり、あるいは、＋１２Ｖ電源から１０〜３０Ｖ電源や−４８Ｖ電源を生成して出力するものを用いることも当然に可能である。
【００６５】
さらには、入力された電源信号（例えば１０〜３０Ｖ電源）から、ＡＩＳＧ規格にて規定される他の電圧で、かつ異なる電圧の電源信号（例えば−４８Ｖ電源と＋１２Ｖ電源）を生成する２台のＤＣ／ＤＣコンバータ１８を設け、ＡＩＳＧ規格にて規定されている３種類全ての電源を出力するように構成することも可能である。
【００６６】
なお、図４（ｂ）のモデム４２では、ＤＣ／ＤＣコンバータ１８の出力を入力側ＡＩＳＧコネクタ４ａにも接続しているため、この両者を接続する内部配線にもダイオード１９を設けて、入力側ＡＩＳＧコネクタ４ａの電源信号を入出力するピン端子で短絡が発生したときに入力側ＡＩＳＧコネクタ４ａに過大な短絡電流が流れてしまうことを抑制するようにしている。なお、ＤＣ／ＤＣコンバータ１８の出力を入力側ＡＩＳＧコネクタ４ａに接続しないように構成すれば、ダイオード１９は省略可能である。
【００６７】
さらに、図５に示すように、本発明のモデム２を、ＲＥＴなどのＡＩＳＧデバイス１７と同一筐体へ実装するようにしてもよい。この場合、モデム回路５の電源回路とＡＩＳＧデバイス１７の電源回路とを共通化することも可能である。このように構成することで、制御ケーブル１５により制御信号や電源信号が入力される場合と、給電線１２により制御信号や電源信号が入力される場合の両方に対応できるＡＩＳＧデバイス１７が実現できることになる。なお、分配器（ＡＩＳＧ信号分配器）やアレスタと同一筐体内に本発明のモデム２を内蔵することも、もちろん可能である。
【００６８】
また、上記実施の形態では、無線機１１と制御装置１６とが別体となっている場合を説明したが、無線機１１と制御装置１６が一体となった無線機能付きの制御装置を用いるようにしてもよい。
【符号の説明】
【００６９】
１  アンテナ制御システム
２  モデム
３ａ，３ｂ  ＲＦコネクタ
４ａ  入力側ＡＩＳＧコネクタ
４ｂ  出力側ＡＩＳＧコネクタ
５  モデム回路
６  合成・分離回路
７  バイアスＴ回路
８  短絡電流抑制手段
８ａ  ダイオード
１０  アンテナ
１１  無線機
１２  給電線
１３  ＢＳモデム
１４  アンテナモデム
１５  制御ケーブル
１６  制御装置
１７  ＡＩＳＧデバイス
【図１】
2013026894.tif 000003
【図２】
2013026894.tif 000004
【図３】
2013026894.tif 000005
【図４】
2013026894.tif 000006
【図５】
2013026894.tif 000007
【図６】
2013026894.tif 000008
【図７】
2013026894.tif 000009
【図８】
2013026894.tif 000010
【図９】
2013026894.tif 000011